(57)【要約】      （修正有）【課題】保護用ヘッドウェアのサスペンションシステムのヘッドバンド部分に取り付けるための使い捨て吸収性インサートを提供する。【解決手段】吸収性インサート１０であって、親水性布地で構成される、上部水分吸上層と、３層で構成される液体吸収性の保持性コアであって、第１の層が、第１の吸収性エアレイド層であり、第２の層が、超吸収性ポリマー層であり、第３の層が、第２の吸収性エアレイド層である、液体吸収性の保持性コアと、液体不透過層と、液体不透過層のうちの少なくとも一部分に取り付けられ、かつそれを被覆する接着層と、接着層に取り付けられた剥離ライナ層と、１ｍｍ〜３ｍｍの厚さである、吸収性インサート１０の全外周に沿った連続シールと、を備え、吸収性インサート１０が、ほぼ矩形であり、長い上縁部、長い底縁部、および４つの丸い角を有し、サスペンションシステムのヘッドバンド部分の前頭部接触側に取り付けることが可能である。【選択図】図１７
0003223286.tif 000002
【実用新案登録請求の範囲】
【請求項１】
保護用ヘッドウェアのサスペンションシステムのヘッドバンド部分に取り付けるための使い捨て吸収性インサートであって、
親水性布地で構成される、上部水分吸上層と、
３層で構成される液体吸収性の保持性コアであって、第１の層が、第１の吸収性エアレイド層であり、第２の層が、超吸収性ポリマー層であり、第３の層が、第２の吸収性エアレイド層である、液体吸収性の保持性コアと、
ポリエチレンフィルムを含む液体不透過層と、
前記液体不透過層のうちの少なくとも一部分に取り付けられ、かつそれを被覆する接着層と、
前記接着層に取り付けられた剥離ライナ層と、
１ｍｍ〜３ｍｍの厚さである、前記インサートの全外周に沿った連続シールと、を備え、
前記インサートが、ほぼ矩形であり、長い上縁部、長い底縁部、および４つの丸い角を有し、
前記インサートが、前記サスペンションシステムの前記ヘッドバンド部分の第１の前頭部接触側に取り付けることが可能である、使い捨て吸収性インサート。
【請求項２】
第１のタブをさらに備え、前記第１のタブが、前記インサートの長い上縁部から突出し、かつ前記サスペンションシステムの前記ヘッドバンド部分の第１の縁部に折り重なること、および前記サスペンションシステムの前記ヘッドバンド部分の第２の側に接着することが可能である、請求項１に記載の使い捨て吸収性インサート。
【請求項３】
前記第１のタブが、前記長い上縁部に沿って均一に中心合わせされた第１の長いタブである、請求項２に記載の使い捨て吸収性インサート。
【請求項４】
前記インサートの前記長い底縁部から突出し、前記長い底縁部に沿って均一に中心合わせされ、前記サスペンションシステムの前記ヘッドバンド部分の第２の縁部に折り重なり、前記サスペンションシステムの前記ヘッドバンド部分の前記第２の側に接着することが可能である、第２の長いタブをさらに備える、請求項３に記載の使い捨て吸収性インサート。
【請求項５】
前記第２の長いタブが、前記第１の長いタブに取り付けられる、請求項４に記載の使い捨て吸収性インサート。
【請求項６】
前記第１および第２の長いタブが、マジックテープタブである、請求項５に記載の使い捨て吸収性インサート。
【請求項７】
前記第１および第２の長いタブが、スナップタブである、請求項５に記載の使い捨て吸収性インサート。
【請求項８】
第２のタブをさらに備え、前記第１および前記第２のタブが、短いタブであり、前記長い上縁部に沿って均一に中心合わせされ、前記第２のタブが、前記インサートの前記長い上縁部から突出し、前記サスペンションシステムの前記ヘッドバンド部分の第１の縁部に折り重なること、および前記サスペンションシステムの前記ヘッドバンド部分の第２の側に接着することが可能である、請求項２に記載の使い捨て吸収性インサート。
【請求項９】
前記インサートの前記長い底縁部から突出し、前記長い底縁部に沿って均一に中心合わせされ、前記サスペンションシステムの前記ヘッドバンド部分の第２の縁部に折り重なり、前記サスペンションシステムの前記ヘッドバンド部分の前記第２の側に接着することが可能である、第３の短いタブおよび第４の短いタブをさらに備える、請求項８に記載の使い捨て吸収性インサート。
【請求項１０】
前記第３の短いタブが、前記第１の短いタブに取り付けられ、前記第４の短いタブが、前記第２の短いタブに取り付けられる、請求項９に記載の使い捨て吸収性インサート。
【請求項１１】
前記第１、第２、第３、および第４の短いタブが、フックおよびルックタブである、請求項１０に記載の使い捨て吸収性インサート。
【請求項１２】
前記第１、第２、第３、および第４の短いタブが、スナップタブである、請求項１０に記載の使い捨て吸収性インサート。
【請求項１３】
第２および第３のタブをさらに備え、前記第１および第２のタブが、短いタブであり、前記第３のタブが、第１の長いタブであり、前記第１の短いタブが、前記長い上縁部の第１の端に位置し、前記第２の短いタブが、前記長い上縁部の第２の端に位置し、前記第１の長いタブが、前記長い上縁部に沿って中心合わせされる、請求項２に記載の使い捨て吸収性インサート。
【請求項１４】
第３の短いタブと、第４の短いタブと、第２の長いタブとをさらに備え、前記第３の短いタブが、前記長い底縁部の第１の端に位置し、前記第４の短いタブが、前記長い底縁部の第２の端に位置し、前記第２の長いタブが、前記長い底縁部に沿って中心合わせされる、請求項１３に記載の使い捨て吸収性インサート。
【請求項１５】
前記第３の短いタブが、前記第１の短いタブに取り付けられ、前記第４の短いタブが、前記第２の短いタブに取り付けられ、前記第２の長いタブが、前記第１の長いタブに取り付けられる、請求項１４に記載の使い捨て吸収性インサート。
【請求項１６】
前記第１、第２、第３および第４の短いタブ、ならびに前記第１および第２の長いタブが、マジックテープタブである、請求項１５に記載の使い捨て吸収性インサート。
【請求項１７】
前記第１、第２、第３、および第４の短いタブと、前記第１および第２の長いタブとが、スナップタブである、請求項１５に記載の使い捨て吸収性インサート。
【請求項１８】
前記第１のタブが、接着タブである、請求項２に記載の使い捨て吸収性インサート。
【請求項１９】
前記第１のタブが、マジックテープタブである、請求項２に記載の使い捨て吸収性インサート。
【請求項２０】
前記第１のタブが、スナップタブである、請求項２に記載の使い捨て吸収性インサート。
【請求項２１】
前記液体吸収性の保持性コアと、前記液体不透過層との間に位置する弾性層をさらに備える、請求項１に記載の使い捨て吸収性インサート。
【請求項２２】
不透過性ガッタ層が、前記液体不透過層を置換する、請求項１に記載の使い捨て吸収性インサート。
【請求項２３】
水分吸上層が、前記液体不透過層と置換する、請求項１に記載の使い捨てインサート。
【請求項２４】
前記上部水分吸上層および前記液体不透過層のうちの少なくとも１つが、難燃性繊維からさらに構成される、請求項１に記載の使い捨て吸収性インサート。
【請求項２５】
前記上部水分吸上層および前記液体不透過層のうちの少なくとも１つが、発泡体からさらに構成される、請求項１に記載の使い捨て吸収性インサート。
【請求項２６】
前記発泡体が、多孔質である、請求項２５に記載の使い捨て吸収性インサート。
【請求項２７】
前記液体吸収性の保持性コアが、超吸収性保持発泡体材料からさらに構成される、請求項１に記載の使い捨て吸収性インサート。
【請求項２８】
飽和インジケータをさらに備え、前記飽和インジケータの色が、前記使い捨て吸収性インサートによってより多くの水分が吸収されるにつれて変化する、請求項１に記載の使い捨て吸収性インサート。
【請求項２９】
前記接着層が、前記液体不透過層の全体に取り付けられ、その全体を被覆する、請求項１に記載の使い捨て吸収性インサート。
【請求項３０】
前記上部水分吸上層、前記液体吸収性の保持性コア、および前記液体不透過層のうちの少なくとも１つが、リサイクルされた材料からさらに構成される、請求項１に記載の使い捨て吸収性インサート。
【請求項３１】
前記インサートが、生分解性材料からさらに構成される、請求項１に記載の使い捨て吸収性インサート。
【請求項３２】
１つ以上の通気口をさらに備える、請求項１に記載の使い捨て吸収性インサート。
【請求項３３】
各通気口が、シールされた外周を有する、請求項３２に記載の使い捨て吸収性インサート。
【請求項３４】
使用者の運動用頭部被覆物の前頭部に接触する湾曲した内側表面に装着するための使い捨て吸収性インサートであって、
親水性布地で構成される、上部水分吸上層と、
３層で構成される液体吸収性の保持性コアであって、第１の層が、第１の吸収性コア層であり、第２の層が、超吸収性コア層であり、第３の層が、第２の吸収性コア層である、液体吸収性の保持性コアと、
液体不透過層と、
前記液体不透過層に取り付けられた接着層と、
前記接着層に取り付けられた剥離ライナ層と、
１ｍｍ〜３ｍｍの厚さである、前記インサートの全外周に沿った連続シールと、
下方湾曲縁部と、
２つの丸い端縁部と、
第１の外側上縁部分と、第２の外側上縁部分と、内側上縁部分と、で構成される上縁部であって、前記第１および第２の外側上縁部分が、前記内側上縁部分の両側に位置付けられる、上縁部と、
前記第１の外側上縁部分と、前記内側上縁部分との間に位置する第１の間隙であって、前記インサートの上端部から前記インサートの中央部に向かって４０〜５０度の角度で延在する、第１の間隙と、
前記第２の外側上縁部分と、前記内側上縁部分との間に位置する第２の間隙であって、前記インサートの上端部から前記インサートの中央部分に向かって４０〜５０度の角度で延在する、第２の間隙と、を備える、使い捨て吸収性インサート。
【請求項３５】
前記上部水分吸上層および前記液体不透過層のうちの少なくとも１つが、耐燃性繊維からさらに構成される、請求項３４に記載の使い捨て吸収性インサート。
【請求項３６】
前記上部水分吸上層、前記液体吸収性の保持性コア、および前記液体不透過層のうちの少なくとも１つが、発泡体からさらに構成される、請求項３４に記載の使い捨て吸収性インサート。
【請求項３７】
前記接着層が、前記液体不透過層の表面全体を被覆する、請求項３４に記載の使い捨て吸収性インサート。
【請求項３８】
飽和インジケータをさらに備え、前記飽和インジケータの色が、前記使い捨て吸収性インサートによってより多くの水分が吸収されるにつれて変化する、請求項３４に記載の使い捨て吸収性インサート。
【請求項３９】
前記上部水分吸上層、前記液体吸収性の保持性コア、および前記液体不透過層のうちの少なくとも１つが、リサイクルされた材料からさらに構成される、請求項３４に記載の使い捨て吸収性インサート。
【請求項４０】
前記インサートが、生分解性材料からさらに構成される、請求項３４に記載の使い捨て吸収性インサート。
【請求項４１】
１つ以上の通気口をさらに備える、請求項３４に記載の使い捨て吸収性インサート。
【請求項４２】
各通気口が、シールされた外周を有する、請求項４１に記載の使い捨て吸収性インサート。
【考案の詳細な説明】
【技術分野】
【０００１】
本出願は、２０１６年５月１７日に出願された米国特許出願第１５／１５７，３８５号、発明の名称ＤＥＶＩＣＥ  ＦＯＲ  ＡＢＳＯＲＢＩＮＧ  ＡＮＤ  ＲＥＴＡＩＮＩＮＧ  ＳＷＥＡＴの継続出願であり、これは、２０１４年１１月６日に出願された米国特許出願第１４／５３５，２４７号、発明の名称ＤＩＳＰＯＳＡＢＬＥ  ＡＢＳＯＲＢＥＮＴ  ＩＮＳＥＲＴ  ＦＯＲ  ＡＮ  ＡＴＨＬＥＴＩＣ  ＨＥＡＤ  ＣＯＶＥＲＩＮＧの一部継続出願であり、これは、２０１２年１２月１０日に出願された米国特許出願第１３／７０９，９１３号、発明の名称ＤＩＳＰＯＳＡＢＬＥ  ＡＢＳＯＲＢＥＮＴ  ＩＮＳＥＲＴ  ＦＯＲ  ＡＮ  ＡＴＨＬＥＴＩＣ  ＨＥＡＤ  ＣＯＶＥＲＩＮＧの一部継続出願であり、これは、２００９年４月１日に出願された米国特許出願第１２／４１６，５２９号、発明の名称ＤＩＳＰＯＳＡＢＬＥ  ＡＢＳＯＲＢＥＮＴ  ＩＮＳＥＲＴ  ＦＯＲ  ＡＮ  ＡＴＨＬＥＴＩＣ  ＨＥＡＤ  ＣＯＶＥＲＩＮＧの継続出願であり、これは、２００８年４月１日に出願された米国仮出願第６１／０４１，３８８号、発明の名称ＤＩＳＰＯＳＡＢＬＥ  ＡＢＳＯＲＢＥＮＴ  ＩＮＳＥＲＴ  ＦＯＲ  ＡＮ  ＡＴＨＬＥＴＩＣ  ＨＥＡＤ  ＣＯＶＥＲＩＮＧの利益を主張する。
【０００２】
開示された考案は、汗を吸収および保持するための装置に関する。より具体的には、本考案は、使用者が使用者の頭部に接触させて、汗が使用者の顔に垂れ落ちるのを防ぐことができる、着用可能な使い捨て装置に関する。一実施形態では、装置は接着層を包含し、ヘッドウェアに挿入される。一実施形態では、装置は、使用者の頭の周りに固定する使い捨てバンドである。
【背景技術】
【０００３】
スポーツは、ここ数十年の間、趣味、地域社会の関与、および人々の運動の源となっている。運動機器産業は安定しており、ますます技術的に進歩している。アスリートは、パフォーマンスを向上させ、彼らの競争相手を勝る競争力を得るための新しい方法を常時模索している。
【０００４】
建設労働者等の労働者は、季節にかかわらず、労働力の大部分を占め、すべてではないにしても、一年のほとんどの時間の間、屋外で作業する。建設労働者は、接触によるけがから身を守るために、往々にして現場にいる間は安全ヘルメットまたは安全帽を着用しなければならない。
【０００５】
多くのアスリートおよび建設労働者が経験する共通の問題は、前頭部から彼らの目に汗が垂れ落ちることを経験していることである。汗またはあらゆるタイプの水分が目、鼻、口、および顔の他の領域に垂れ落ちることを防止することで、個人が目下のタスクに集中し、自分のパフォーマンス中に気を散らすかまたは不快にならないようにすることが可能である。インサートの使用は、活動中に、汗および油分が個人の顔の表面に垂れ落ち、視力を損なう可能性を軽減することにより、活動中の個人のパフォーマンスと快適性を向上させる。
【０００６】
現在、様々な活動中に個人の頭部から汗および他の水分を吸収するための多種多様な吸湿装置がある。このような吸収性装置は、キャップ、帽子、安全帽、またはサンバイザのインサートとして使用されている。しかしながら、多くのインサートの問題は、それらを清掃することが困難であり、汚れるかまたは飽和したときに容易に交換されないことである。さらに、多くの使い捨てインサートは、ヘッドウェアの外形に対して良好に成形されていない。
【考案の概要】
【０００７】
一態様では、使用者の頭部被覆物の前頭部に接触する湾曲した内面に装着するための使い捨て吸収性インサートは、水分吸上層と、液体吸収性コア層と、液体不透過層と、再配置可能な感圧接着剤を含む接着層と、剥離ライナ層と、を備える。インサートの上縁部は、頭部被覆物の湾曲した内面上へのインサートの取り付けを容易にするための複数のスリットを備える。
【０００８】
別の態様では、使用者の頭部被覆物の前頭部に接触し湾曲した内面に対し、使い捨て吸収性インサートを使用する方法が記載される。インサートは、液体吸収性層と、接着層と、剥離ライナ層と、を備え、インサートの上縁部は、複数のスリットを備える。本方法は、剥離ライナ層を接着層から分離し、接着層を頭部被覆物の湾曲した内側表面に接触させ、同時にスリットを介してインサートの上縁部を操作し、インサートの重複する領域を伴わずに、頭部被覆物の湾曲した内側表面にインサートを装着することを含む。
【０００９】
一態様では、使用者の頭部の周囲に固定するための使い捨ての可撓性吸収性バンドは、少なくとも１つの水分吸上層および液体吸収性コア層を備える。バンドは、互いに結び付ける２つの開放端を有してもよく、または使用者がバンドを使用者の頭部の周囲に伸張させることを可能にするために、少なくとも部分的に弾性材料で作製されてもよい。
【００１０】
本概要は、以下の詳細な説明でさらに説明される概念を簡略化した形態で紹介するために提供される。本要約は、開示または請求された主題の主要な特徴または不可欠な特徴を特定することを意図したものではなく、また、開示されるかまたは請求された主題の各々の開示された実施形態またはすべての実施を説明することを意図したものではなく、請求された主題の範囲を決定することの支援として使用されることも意図されていない。本明細書を進めると、多くの他の新規な利点、特徴、および関係が明らかになるであろう。以下の図面および説明は、例示的な実施形態をより特定的に例示する。
【図面の簡単な説明】
【００１１】
【図１】開示されたインサートの一実施形態の上から下を見た図である。
【図２】図１の開示されたインサートの上から下を見た図である。
【図３】開示されたインサートの一実施形態の上から下を見た図であり、ライナのサイズおよび形状の変化を示している。
【図４】開示されたインサートの一実施形態の上から下を見た図であり、ライナのサイズおよび形状の変化を示している。
【図５】ヘルメット前部分の内側に位置付けられた図１のインサートを有する運動用ヘルメットの側面図である。
【図６】帽子の前部分の内側に位置付けられた図１のインサートを有する帽子の側面図である。
【図７】ヘルメット前部分の内側に位置付けられた図１のインサートを有するヘルメットの側面図である。
【図８】ヘルメット前部分の内側に位置付けられた図１のインサートを有する運動用ヘルメットの斜視図である。
【図９】運動用ヘルメット前部分の内側に位置付けられた図１のインサートを有する運動用ヘルメットの底面図である。
【図１０】帽子の前部分の内側に位置付けられた図１のインサートを有する帽子の底面図である。
【図１１】図１のインサートの、運動用ヘルメットの前部分への適用を示す図である。
【図１２】図１のインサートの、帽子の前部分への適用を示す図である。
【図１３】開示されたインサートの部分断面図である。
【図１４】開示されたインサートの一実施形態の分解図である。
【図１５】開示されたインサートの一実施形態の分解図である。
【図１６】開示されたインサートの一実施形態の分解図である。
【図１７】建設用安全帽のサスペンションヘッドバンド上に位置付けられた、開示されたインサートの一実施形態の斜視図である。
【図１８】開示されたインサートの一実施形態の上から下を見た図である。
【図１９】開示されたインサートの一実施形態の上から下を見た図である。
【図２０】開示されたインサートの一実施形態の上から下を見た図である。
【図２１】開示されたインサートの一実施形態の上から下を見た図である。
【図２２】開示されたインサートの一実施形態の上から下を見た図である。
【図２３】開示されたインサートの一実施形態の上から下を見た図である。
【図２４】開示されたインサートの一実施形態の上から下を見た図である。
【図２５】開示されたインサートの一実施形態の上から下を見た図である。
【図２６】開示されたインサートの一実施形態の上から下を見た図である。
【図２７】開示されたインサートの一実施形態の上から下を見た図である。
【図２８】開示されたインサートの一実施形態の上から下を見た図である。
【図２９】開示されたインサートの一実施形態の上から下を見た図である。
【図３０】開示されたインサートの一実施形態の上から下を見た図である。
【図３１】開示されたインサートの一実施形態の上から下を見た図である。
【図３２】開示されたインサートの一実施形態の斜視図である。
【図３３】開示されたインサートの一実施形態の斜視図である。
【図３４】開示されたインサートの一実施形態の背面斜視図である。
【図３５】開示されたインサートの一実施形態の上から下を見た図である。
【図３６】開示されたインサートの一実施形態の正面図である。
【図３７】開示されたインサートの一実施形態の右側斜視図である。
【図３８】開示されたインサートの一実施形態の右側面図である。
【図３９】開示されたインサートの部分断面図である。
【図４０】開示されたインサートの部分断面図である。
【図４１】開示されたインサートの部分断面図である。
【図４２】開示されたインサートの部分断面図である。
【考案を実施するための形態】
【００１２】
様々な使用者インターフェースおよび実施形態が、図面を参照して詳細に説明され、同様の参照番号は、いくつかの図全体を通して、同様の部品およびアセンブリを表す。様々な実施形態への言及は、本明細書に添付される請求項の範囲を限定するものではない。さらに、本明細書に記載されたあらゆる実施例は、限定することは意図されず、添付された請求項の多くの可能な実施形態のうちのいくつかを単に述べるに過ぎない。状況が示唆し得るかまたは適切にされ得るように、等価物の様々な省略および置換が企図されるが、これらは、添付された請求項の本質または範囲から逸脱することなく、適用または実施形態を網羅することが意図されることが理解される。また、本明細書で使用される表現および用語は、説明を目的とし、限定的であるとみなされるべきではないことを理解されたい。
【００１３】
本開示の一実施形態は、使用者の前頭部または他の顔の表面から水分を吸い上げる使い捨てインサートに関する。インサートは、ヘルメット、帽子、安全帽、ゴーグル、またはフェイスマスク等のヘッドウェアに貼付された使い捨ての吸湿装置であってもよい。具体的には、インサートは、限定されないが、ゴルフ、モトクロス、サイクリング、野球、フットボール、ホッケー、およびラクロス等のスポーツで使用される運動用頭部被覆物に固定することができる。例えば、インサートは、着用者の前頭部および／または、こめかみと通常接触しているヘッドウェアの部分に取り付けることができる。別の例では、インサートは、運動用ヘッドウェアのあごひもに取り付けることができる。代替的に、インサートはそれ自体を、頭部被覆物を必要としない他の手段を使用して、使用者の頭部に取り付けることができる。使い捨ての吸収性インサートは、前述のヘッドウェアおよび他の関連する頭部被覆物内に装着するように特に設計される。
【００１４】
一実施形態では、使い捨てインサートが構成されている材料は、弾性材料ではない。別の実施形態では、使い捨てインサートが構成されている材料の少なくともいくつかは、弾性材料である。例えば、インサートの吸収性部分は、非弾性材料から作られることができ、一方で、吸収性部を被覆する布または発泡体は、弾性材料から作られることができる。別の例では、吸収性部分と布または発泡体カバーの両方を、弾性材料から作製することができ、または弾性材料を含むことができる。いくつかの実施形態では、インサートは、女性用衛生パッドの製造において同様に使用される材料を使用して作製される。いくつかの実施形態では、インサートは、リサイクル可能であるか、または生分解性材料から作製することができる。さらに、インサートに使用される材料は、インサートが頭部被覆物からの換気を妨げないように、通気性があることができる。いくつかの実施形態では、以下にさらに説明するように、層のいずれかが、難燃性繊維を組み込むことができる。
【００１５】
使い捨て吸収性インサートは、ヘッドウェアの湾曲した内面に接着させることができる。インサートは、活動の直前にヘッドウェアに容易に取り付けることができ、その後、身体活動が終了した後にヘッドウェアから取り外して、廃棄することができる。さらに、汚れたインサートは、活動中（例えば、休憩中、タイムアウト中、ピリオドの間、ハーフタイム等）に新しいインサートと交換されてもよい。
【００１６】
汗を吸収および保持するための装置の一実施形態は、図１〜図３１に図示されるようなインサートである。図１〜図１４は、インサート１０の様々な実施形態を示しており、インサート１０は、ヘッドウェア２０の内側表面に直接取り付けられるように意図されている。また、図１〜図４は、インサート１０の一実施形態を示す図であり、インサート１０は平らに置かれている。また、図５〜図７は、ヘッドウェア２０内のインサート１０の向きを示す様々なタイプのヘッドウェア２０（例えば、ホッケーヘルメット、帽子、安全帽、溶接ヘルメット、およびモータースポーツまたはレーシングヘルメット）の側面図である。図８は、ヘッドウェア２０の斜視図であり、インサート１０がヘッドウェア２０に直接取り付けられた場合のヘッドウェア２０内のインサート１０の向きを示している。また、図９および図１０は、ヘッドウェア２０内のインサート１０の向きを示すヘッドウェア２０の底面図である。また、図１１および図１２は、使用者がインサート１０をヘッドウェア２０に取り付ける方法の一例を示す。
【００１７】
図１３は、インサート１０の複数の層を示すインサート１０の部分断面図である。また、図１４〜図１６は、異なる実施形態によるインサート１０の複数の層の分解図である。例えば、図１４は、ヘッドウェア２０の内部に直接取り付けることができる実施形態を示す。また、図１５および図１６は、例えば、ヘッドウェアサスペンションシステム、例えば、建設用安全帽、溶接用ヘルメット、バンプキャップ、バイザ、または保護用ヘッドウェアのヘッドバンド部分の前頭部接触面に取り付けられることができる実施形態を示している（以下「サスペンションヘッドバンド」と称される）。
【００１８】
また、図１５〜図３１は、インサート１０の様々な実施形態を示しており、インサート１０は、建設用安全帽サスペンションヘッドバンド等のサスペンションヘッドバンドに取り付けられることが意図されている。一般に、インサート１０は、サスペンションヘッドバンドに取り付けられることが意図される場合、矩形の本体を有し、サスペンションヘッドバンドの縁部の周囲に巻き付けて、インサート１０を適所に固定するための少なくとも１つのタブを有することができる。図１７は、インサート１０が建設用安全帽のサスペンションヘッドバンドに取り付けられた場合のヘッドウェア２０内のインサート１０の向きを図示するヘッドウェア２０の斜視図である。また、図１８〜図３１は、インサート１０の様々な取り付け構成を図示する。
【００１９】
汗を吸収して保持するためのこの装置は、一実施形態では、運動用ヘルメット、または帽子、または建設用安全帽の内側表面に装着することができる。インサートは、ヘルメット、帽子、または安全帽の前部分に設置された場合、使用者の頭部から水分を吸い上げ、水分が使用者の目、鼻、口、および顔の領域全体に垂れ落ちるのを防止するように機能する。ヘルメット、帽子、または安全帽の後部に設置された場合、水分が使用者の首に垂れ落ちるのを防ぐことができる。インサート１０は、使用者の前頭部と直接接触することができ、吸収性材料で形成することができる。一実施形態では、図１４〜図１６に図示されるように、インサート１０はいくつかの層で構成される。これらの層は、使用者の前頭部から水分を吸い上げ、使い捨てインサート１０の内部の水分を捕捉し、水分が使用者の顔の上に垂れ落ちるのを防止するように機能する。別の実施形態では、汗を吸収および保持するための装置は、使用者の頭の周りに固定されるヘッドバンドまたはスウェットバンドのようなバンド５０であり得る。本実施形態では、バンド５０は、図３９〜図４１に図示されるように、いくつかの層で構成される。
【００２０】
汗を吸収して保持するための装置は、多くの点でその使用者にとって有益であり得る。最も顕著な利点は、使用者の前頭部および髪に由来する汗が使用者の顔または首に垂れ落ちることを防止することである。使用者の顔に汗が垂れ落ちると、使用者の視覚を低下させる可能性がある。このような視覚低下は、アスリートの場合、痛みを伴う不快感である可能性があり、プレーの実行中にアスリートのプレーおよび全体的なパフォーマンスを中断させる可能性がある。建設労働者または競技車両の運転手の場合、視力低下が、結果として注意を散漫にし、深刻なけがを招く可能性がある。
【００２１】
いくつかの活動（例えば、ホッケー、モトクロス、サイクリング、ゴルフ、建設、または軍事戦術活動）では、ガラス／プラスチックのフェイスシールド、ゴーグル、眼鏡または他のアイウェアを使用する人が多く、これらは、発汗に起因して使用中に曇ったり、使用者の顔とガラスまたはプラスチックのバリアとの間の領域に水分が浸入したりする傾向が高い。本開示の使い捨てインサート１０は、汗を吸収し、ほとんどすべての発汗が使用者の顔または顔を被覆する物に垂れ落ちることを排除することによって、その使用者を助けることができる。これは、ガラス／プラスチックのバリアが曇る可能性を大幅に減少させ、活動中の使用者の視界を低下させない。これは、例えば、ホッケー選手が、曇ったフェイスシールドで注意散漫になることなく、高いレベルで競技することを可能にする。建設作業員や軍用従事者にとっては、これは、曇ったフェイスシールドに伴う安全リスクを低減させる。
【００２２】
さらに、ヘルメットまたは安全帽等のヘッドウェアは、通常は完全に洗うことが可能ではないため、水分、油分、臭気を抱え込む。インサートを使用すると、汗、油分、臭気がインサートに抱え込まれるため、臭気が頭部被覆物内に蓄積するのを低減する。
【００２３】
皮膚衛生は、インサート１０またはバンド５０を使用することによる別の重要な利点である。スポーツ活動中にヘルメットまたはスウェットバンドを着用している大人および１０代のアスリートの多くは、シーズンの間、参加中に皮膚の刺激および顔の表面の座瘡が増大することを経験する。建設労働者は、季節ごと、特に暑い夏の数か月にわたって、皮膚の刺激を受けることがある。使用者の髪および前頭部からの汗と油分が顔に垂れ落ちる可能性があり、これは、顔の表面の毛穴を詰まらせて、傷ではない顔の欠陥を生じさせる可能性がある。また、使用者の前頭部がヘルメットまたは安全帽によって有する圧力および直接の接触は、皮膚の発疹および座瘡の増加を引き起こす可能性がある。本使い捨て装置は、汗および油が顔の表面に垂れ落ちたり、顔の毛穴が詰まったりするのを防ぐことができる。使い捨て装置が作製される軟質材料は、インサート１０を使用する場合、使用者の前頭部と、ヘルメットまたは安全帽と、の間に清潔かつ快適なバリアを提供することができ、前頭部と、ヘルメットまたは安全帽の内側表面と、の間の摩擦に起因する皮膚の刺激および欠陥を取り除くことができる。いくつかの実施形態では、インサート１０またはバンド５０は、ＦＤＡ（Food and Drug Administration：アメリカ食品医薬品局）承認の皮膚接触材料を有してもよく、および／またはアクネクリーム、他の座瘡局所、もしくは抗菌剤もしくは殺菌剤を含有してもよい。インサート１０またはバンド５０は、また、ローション、アロエ、ビタミン、医薬品、または虫除けスプレーを含むことができ、低刺激性、ラテックスフリー、またはその両方であり得る。さらに、本開示の他の箇所に記載されているように、インサート１０またはバンド５０は難燃性であってもよい。
【００２４】
一実施形態では、図１に図示されるように、インサート１０の長さＬ１は８〜９インチ（例えば、８．８３７９インチ）であり、インサートの幅Ｗ１は３〜４インチ（例えば３．２５インチ）である。なお、１インチは２５．４ｍｍである。別の実施形態では、使い捨てインサートは、長さＬが１８０ｍｍ〜３３０ｍｍ（例えば、長さ＝２５０ｍｍ）、幅Ｗが約１００ｍｍ（例えば、幅＝９７ｍｍ）、厚さＴが約２ｍｍ〜約１０ｍｍ（またはさらに薄く、約２〜７ｍｍ（例えば、厚さ＝４〜５ｍｍ））の寸法を有することができる。また、図３および図４は、ライナ１０が有することができるサイズおよび形状の変動を図示する。図３は、外側境界の変動を示し、図４は、２つの異なるサイズによるライナの内側および外側部分の変動を示し、好ましい実施形態は、わずかに幅広であり、下方湾曲縁部２２に沿ってより小さな角度を有する。例えば、丸みを帯びた端縁部２６、２８の下方部分の隅の丸みは、０．５０インチであり得るが、好ましくは０．５１インチである。
【００２５】
一実施形態では、図３１に図示されるように、インサート１０は、ヘルメットまたは安全帽等のヘッドウェア２０のサスペンションヘッドバンドに使用され、長さＬ３、本体幅Ｗ３、本体およびタブの幅Ｗ４、およびタブ空隙幅Ｇ１を有する。長さＬ３は、１０〜１１インチ（例えば、１０．３７５インチ）であり得る。幅Ｗ３は、約２インチにすることができ、幅Ｗ４は、約３インチであり得る。空隙幅Ｇ１は、１〜２インチ（例えば、１．６０インチ）にすることができ、各タブの幅は、０．５〜１．０インチ（例えば、０．８０インチ）であり得る。
【００２６】
一実施形態では、図２に図示されるように、各インサート１０は、概して均一な厚さであり、下方湾曲縁部２２および、丸みを帯びた端縁部２４、２６を有する。いくつかの実施形態では、インサート１０の本体は、厚さが均一であり、一方でインサート１０の縁部は、本体よりも薄い厚さのシールを形成する。各インサート１０は、上縁部２８を有し、これは１つ以上のスリット３０によって中断され、それによって、インサート１０
のすべての層を通して切断され、インサート１０の中央部分３１に向かって角度付けされた空隙または溝３０ａ、３０ｂを形成する。一実施形態では、２つの間隙３０ａ、３０ｂが設けられ、これらはインサート１０の中央部分３１に向かって内側に傾斜している。例えば、間隙３０ａ、３０ｂは、上縁２８から中央部分３１に向かって４０〜５０度の角度で延在し、間隙３０ａ、３０ｂは、上縁部２８の付近において、中央部分３１よりも広くあり得る。別の例では、中央部分３１に近い空隙３０ａ、３０ｂの角の丸みは０．１３インチである。
【００２７】
空隙３０ａ、３０ｂは、インサート１０がヘッドウェア２０の内側曲面の輪郭に自然に追従することを可能にする。さらに、隙間３０ａ、３０ｂのこのような角度は、隙間が、図５〜図７に示される前後方向の線のように、ヘッドウェア２０の輪郭線に沿って自然に配置されることを可能にする。したがって、スリット３０によって生じる間隙３０ａ、３０ｂは、使用者にとって最も邪魔にならない。このように、上縁部２８は、外側上縁部分２８ａ、２８ｃと内側上縁部分２８ｂとに分割されている。上縁部分２８ａ、２８ｃは概して湾曲しており、一方、上縁部分２８ｂは、ほぼ直線状である。しかし、いくつかの実施形態では、上縁部分２８ａ、２８ｂ、および２８ｃは、ほぼ線形または同一直線上にあり得る。隙間３０ａ、３０ｂに接触する内側上縁部分２８ｂの角部は、それぞれ０．２７インチの角の丸みを有することができる。
【００２８】
一実施形態では、図１８、図２４および図２５に図示されるように、各インサート１０は、帽子、ヘルメット、または安全帽サスペンションヘッドバンドの内側に取り付けられるように構成され、厚さがほぼ均一であり、矩形の本体と、少なくとも１つのタブとを有する。しかし、図３０に図示されるように、ヘルメットまたは安全帽サスペンションヘッドバンドの内側に取り付けるように構成されたインサート１０のいくつかの実施形態は、タブを有しない。タブは、接着タブ３４、マジックテープタブ３６、またはスナップ／ボタンタブ３８であり得る。
【００２９】
タブ３４、３６、３８は、任意の様々な構成を有し得るが、好ましくは、インサート１０の矩形本体の上縁部または底縁部から突出する。例えば、インサート１０は、図１８および図２４〜図２５に図示されるように、矩形の本体の長辺部に中心合わせされた１つの長いタブを有することができる。別の例では、図１９に図示されるように、インサート１０は２つの長いタブを有することができ、第１のタブは、矩形本体の長辺部の上縁部に中心合わせされ、第２のタブは、矩形本体の長辺部の底縁部に中心合わせされる。別の例では、インサート１０は、本体の長辺部の中央付近に均等に中心合わせされた複数の短いタブを有することができ、短いタブは、図２０に図示されるように、矩形の本体の上縁部に位置するか、または図２１および図２６〜図２７に図示されるように、矩形の本体の上縁部および底縁部に位置する。別の例では、インサート１０は、矩形の本体の上縁部および底縁部に沿って長いタブおよび短いタブの組み合わせを有することができる。例えば、図２２に図示されるように、インサート１０は、矩形本体のより長い部分の上縁部の端部に短いタブを有し、矩形本体の長辺部の上縁部を中心とする長いタブを有することができる。図２３および図２８〜図２９に図示されるように、インサート１０は、矩形の本体の長辺部の上縁部および底縁部の端部に短いタブを有し、矩形本体の長辺部の上縁部および底縁部を中心とする長いタブを有することができる。
【００３０】
上述した構成のいずれも、接着タブ３４に寄与し、接着タブ３４は、サスペンションヘッドバンドの縁部に折り重なり、サスペンションヘッドバンドの反対側に取り付けられる。例えば、それぞれ、矩形の本体の上縁部にタブを有する実施形態は、サスペンションヘッドバンドの上縁部に折り重なることができ、矩形の本体の上縁部および底縁部にタブを有する実施形態は、サスペンションの上縁部および底縁部に折り重なることができるヘッドバンドである。
【００３１】
図２４、図２６および図２８に図示された構成は、マジックテープタブ３６に寄与し、矩形の本体の上部に沿ったタブは、サスペンションヘッドバンドに折り重なることができ、図２４に図示されるように、矩形の本体自体のマジックテープ部分か、または図２６および図２８に図示されるように、矩形の本体の底部に沿った別のタブのいずれかに取り付けることができる。マジックテープ構成のいくつかの実施形態では、矩形本体は、サスペンションヘッドバンドにも取り付けられる接着層４１を有することができる。
【００３２】
図２５，図２７，図２９に図示される構成は、スナップ／ボタンタブ３８に寄与し、矩形の本体の上部に沿ったタブは、サスペンションヘッドバンドに折り重なり、図２５に図示されるように、矩形本体自体のスナップ／ボタン部分か、または図２７および図２９に図示されるように、矩形の本体の底部に沿った別のタブに取り付けることができる。スナップ／ボタン構成のいくつかの実施形態では、矩形の本体は、サスペンションヘッドバンドにも取り付けられる接着層４１を有することができる。
【００３３】
インサート１０が取り付けられるヘッドウェア２０とは無関係に、インサート１０は、多層構造であってもよい。図１４〜図１６に図示されるように、上部水分吸上層３５は、使用者と接触し、好ましくは水分吸上性を有し、使用者から汗を取り去るための吸湿性機能属性を有し得る。水分吸上層３５は、使用者の皮膚表面から水分を吸い上げ、それを製品のコアに移すように機能する親水性材料で作製することができる。上部水分吸上層３５は、エンボス加工されるかまたはプリントされたパターンまたはロゴを有し得る。内側層またはコアは、吸湿性であり、保湿性を有していてもよい。
【００３４】
いくつかの実施形態では、コアは、吸湿性／保持性材料の１つの層から形成されてもよい。これに代えて、図１３〜図１６に図示されるように、かかる材料の２つ以上の層から形成されてもよい。これらの吸湿性／保持層は、インサート１０のコアを形成し、例えば不織布毛羽、不織木材、木材パルプ、木材パルプ繊維、綿、レーヨン、エアレイド、紙または不織吸収性ポリマー繊維、他のセルロース系材料を含む不織材料から形成され得る。例えば、一例では、コアは、吸湿性／保持性の層である２つの層を含む。第１の層は、穿孔された不織材料（例えば、スパンレース）材から作製することができ、第２の層は、吸収性紙であり得る。
【００３５】
別の実施形態では、図１４に図示されるように、コアは３つの層を含み、第１の層は、第１の吸収性エアレイド層３７ａであり、第２の層は、高吸収性ポリマー（ＳＡＰ：super absorbent polymer）層３７ｂであり、第３の層は、第２の吸収性エアレイド層３７ｃである。図２に図示されるように、第２の高吸収性コア層３７ｂは、略矩形であり、第１および第２の吸収性エアレイド層３７ａ、３７ｃは、インサート１０の全体形状をとる。流体が使用者の前頭部に接触するのを防ぐために、コアの下に流体または液体の不透過層４０（例えば、ポリエチレンフィルム）を設けてもよい。一実施形態では、婦人用衛生パッドに使用されるタイプの材料でコアが十分であり得る。したがって、インサート１０は、好ましい実施形態では、上部水分吸上層３５と、ＳＡＰ層３７ｂを挟む２つの吸収性エアレイド層３７ａ、３７ｃで構成される吸収性コアと、液体不透過層４０と、を有する。
【００３６】
別の実施形態では、第５の接着層４１は、液体不透過層４０に取り付けられることができる。本実施形態では、使用者は、使い捨てインサート１０をヘルメット、帽子、または安全帽等のヘッドウェア２０に取り付けることができる。接着層４１は、一方が液体不透過層４０に面し、他方が、使用前に取り外される剥離ライナ３９である第６の層と対向する、両面テープであり得る。接着層４１は、また、マジックテープ布であり得る。接着層４１は、液体不透過層４０の全表面を被覆する全体被覆接着層であり得るか、または液体不透過層４０の一部分のみを被覆する部分被覆接着層４１であり得る。しかしながら、いくつかの実施形態では、接着層４１は存在しない。
【００３７】
いくつかの実施形態では、インサート１０は、吸湿性吸上性を有し、吸収性コア３７を完全に取り囲む発泡体材料をさらに含むことができる。発泡体材料は、いくつかの実施形態では、多孔質であり得る。水分吸上発泡体層は、いくつかの実施形態では、吸収性コア３７の周りに注入されるか、充填されるか、または巻き付けられることができる。代替的に、吸収性コア３７は、吸収性発泡体材料から作製されてもよく、吸収性コア３７は、全体的に１つの吸収性発泡体層であるかまたは２つ以上の吸収性発泡体層である。代替的に、水分吸上発泡体は、発泡体の層で構成することができ、１つの発泡体層が吸収性コア３７の上に含まれ、第２の発泡体層が、吸収性コア３７の下に含まれ、それによってコア３７を水分吸上発泡体内に挟む。上述の層と同様に、吸収性コア３７の下に位置する第２の発泡体層もまた、接着層４１に取り付けられることができる。したがって、接着層４１は、帽子、ヘルメット、または安全帽等のヘッドウェア２０に取り付けることができる。代替的に、第１および第２の層を有するインサート１０は、バンド５０を形成するように構成され得る。したがって、インサート１０は、頭部の周りに巻き付け、圧力によって（例えば、バンド５０が少なくとも部分的に弾性である場合）、または、バンド５０上の取り付け点によって固定することによって、使用者の頭部に直接取り付けられることができる。
【００３８】
いくつかの実施形態では、少なくとも上部水分吸上層３５、コア層３７、および液体不透過層４０の外周がともにシールされるときに、シールされた外周３２を作製することができ、インサート１０は、外周全体に沿って連続的なシールを有する。いくつかの実施形態では、図２および図１８〜図３０に図示されるように、少なくとも上部水分吸上層３５および液体不透過層４０の外周がともにシールされるときに、シールされた周囲３２を作製することができ、インサート１０は、外周全体に沿って連続シールを有する。いくつかの実施形態では、シールされる材料のタイプは、ポリプロピレン、ポリエチレン、親水性不織布、または他の不織布材料である。シールされた外周３２は、厚さが１〜３ｍｍであり、これに限定されるものではないが、接着剤および圧力、加熱要素シール（例えば、ホットバー、連続、インパルス）、超音波溶接／シール／ステーキング、材料溶接および接着、縫製、トランスファー接着剤および圧力（例えば、ホットメルト、建築用接着剤もしくはトランスファー接着剤およびテープ）、高周波溶接、熱可塑性ステーキング、赤外線ステーキング、高周波溶接、レーザ溶接、熱および圧力、またはヘッドシールコーティング等の手段を使用して形成することができる。好ましい実施形態では、シールされた外周３２は、インパルス加熱要素シールを使用して形成される。これらの層を一緒にシールすることにより、水分がコア３７に押さえこまれることが可能になる。一実施形態では、シールされた内側部分は、図１に図示されるように、８〜９インチ（例えば８．４６２９インチ）の長さＬ２と、２〜３インチ（例えば２．８７５インチ）の幅Ｗ２とを有する。
【００３９】
いくつかの実施形態では、不透過性ガッタ層４５が、インサート１０またはバンド５０にさらに含まれてもよく、不浸透性ガッタ層４５は、コア層３７の下に位置し、コア層３７が収容することができない余分な汗をピックアップするように作用し得る。したがって、不浸透性のガッタ層４５は、インサート１０またはバンド５０の内側の汗を保持する不浸透性バリアとして作用し、好ましくは、底部液体不透過層４０がない場合は、インサート１０およびバンド５０に含まれ得る。例えば、図４１に図示されるように、バンド５０、例えば図３２に図示されるようなバンド５０は、上部水分吸上層３５と、上部弾性層４３と、コア層３７ａ、３７ｂ、３７ｃと、不透過性ガッタ層４５と、底部水分吸上層３５とで構成され得る。
【００４０】
使い捨て吸収性インサート１０は、図５〜図１２および図１７に図示されるように、ヘッドウェア２０の前面、内面に適合させることができる。また、インサート１０は、ヘッドウェア２０の後側の内面にも装着することができる。代替の実施形態では、図３２〜図３８に図示されるように、使い捨てインサート１０は、ヘッドバンド、リストバンド、またはスウェットバンド等のバンド５０であってもよいが、これらに限定されず、また、それは、ヘルメット、ヘッドウェア、または安全帽等のヘッドウェア２０に接着することを必要とせずに、使用者の頭のまわりに位置付けることができる。
【００４１】
一実施形態では、汗を吸収および保持するための装置は、図３２および図３３に図示されるように、全体的に弾性のバンド５０であり得る。別の例では、装置は、図３４および図３５に図示されるように、少なくとも弾性部分５２および吸収性部分５４である少なくとも一部分を有するバンド５０であり得る。別の実施形態では、装置は、図３６〜図３８に図示されるように、使用者の頭に結び付けられたバンド５０であり得る。この例では、バンド５０は、吸収性部分５６と結束部分５８とで構成することができ、それによって、使用者は、バンド５０を自分の望むようにしっかりと結び付けることができる。バンド５０は、使用者の頭部から水分を吸い上げ、水分が使用者の目、鼻、口、および顔の領域全体に垂れ落ちるのを防止するように機能する。バンド５０は、使用者の頭および髪と直接接触することができる。
【００４２】
いくつかの実施形態では、インサート１０またはバンド５０は、吸収性材料で形成することができ、図１４〜図１６に図示されるように、いくつかの層で構成することができる。一実施形態では、インサート１０またはバンド５０は、使用時に使用者の頭部と接触し、使用者の頭部から水分を吸い上げる水分吸上層３５で構成される。水分吸上層３５の下には、使用者の頭から離れて吸い上げられた水分を収集および保持する吸収性コア層３７があり得る。吸収性コア層３７の直下は、水分吸上層３５と共に、吸収性コア層３７を包被し、水分が吸収性コア層３７を離れることを禁止する底部液体不透過層４０であり得る。
【００４３】
いくつかの実施形態では、直下で、底部液体不透過層３９の直下は、底部液体不透過層４０の底側の全域を被覆する感圧接着層４１である。別の実施形態では、底部液体不透過層４０の一部分のみが、感圧接着層４１によって被覆される。感圧接着剤４１は、ヘッドウェア２０の内側の表面にインサート１０を接着させることを可能にする。層４１の接着剤は、再配置可能な感圧接着剤であり（両面テープの形態をとってもよい）、インサート１０を取り外し、残余の糊を残すことなく、ヘッドウェア２０（またはサスペンションヘッドバンド）から取り外して、廃棄することができる。取り外し可能な剥離ライナ層３９は、使用前には接着層４１を被覆し、インサート１０をヘッドウェア２０内に取り付けるために接着層４１を露出させるように取り外される。一実施形態では、剥離ライナ層３９は剥離紙である。別の実施形態では、剥離ライナ層３９は、剥離ライナ層３９の片側または両側にシリコンを有する材料である。
【００４４】
いくつかの実施形態では、図１３〜図１６および図３９〜図４２に図示されるように、インサート１０またはバンド５０は、使用時に使用者の頭に接触し、使用者の頭部から水分を吸い上げる水分吸上層３５で構成される。水分吸上層３５の下は、上部吸収性コア層３７ａ、中間高吸収性コア層３７ｂ、および底部吸収性コア層３７ｃで構成される吸収性コア層３７である。吸収性コア層３７は、使用者の頭から吸い上げられた水分を収集および保持する。いくつかの実施形態では、吸収性コア層３７の下に液体不透過性層４０があり、これは水分吸上層３５と共に吸収性コア層３７を包被し、水分が吸収性コア層３７から離れるのを防止する。いくつかの実施形態では、インサート１０が弾性を有することを可能にする追加の弾性層４３が含まれる。したがって、一例では、インサート１０は、図４２に図示されるように、上部吸湿性吸上層３５と、上部吸収性コア層３７ａ、超吸収性コア層３７ｂおよび底部吸収性コア層３７ｃで構成される吸収性コア層３７と、弾性層４３と、底部液体不透過層４０と、粘着剤層４１と、で構成されている。
【００４５】
上述したように、底部液体不透過層４０の下には、底部液体不透過層４０の底側の一部または全部を被覆する感圧接着層４１があってもよく、それによって、インサート１０が、頭部被覆物２０の内側の表面に接着することが可能になる。接着層４１は、使用前に接着層４１を被覆し、取り外して接着層４１を露出させて取り付けることができる取り外し可能な剥離ライナ層３９を有していてもよい。
【００４６】
いくつかの実施形態では、図３９〜図４１に図示されるように、液体不透過層４０は存在しない。例えば、図３９に示されるバンド５０の一実施形態は、５つの層、すなわち上部水分吸上層３５と、上部吸収性コア層３７ａ、超吸収性コア層３７ｂ、および底部吸収性コア層３７ｃで構成される吸収性コア層３７と、第２の水分吸上層３５とで構成される。
【００４７】
別の例では、図４０に示されたバンド５０の一実施形態は、７つの層、すなわち上部水分吸上層３５と、第１の弾性層４３と、上部吸収性コア層３７ａ、超吸収性コア層３７ｂおよび底部吸収性コア層３７ｃで構成される吸収性コア層３７と、第２の弾性層４３と、第２の水分吸上層３５とで構成される。
【００４８】
別の例では、図４１に示されたバンド５０の一実施形態は、７つの層、すなわち上部の水分吸上層３５と、弾性層４３と、上部吸収性コア層３７ａ、超吸収性コア層３７ｂ、および底部吸収性コア層３７ｃで構成される吸収性コア層３７と、不透過性ガッタ層４５と、第２の水分吸上層３５とで構成される。
【００４９】
いくつかの実施形態では、水分吸上層３５、液体不透過層４０、またはその両方が、耐燃性繊維（例えば、ＤｕＰｏｎｔ社のＮｏｍｅｘ（登録商標））を組み込むことができる。いくつかの実施形態では、汗を吸収および保持するための装置は、色変化インジケータ等の吸収インジケータまたは飽和インジケータを含むことができ、色変化インジケータは、より多くの汗が吸収されるにつれて色が変化し、色の変化は、使用者が、装置がどの程度の汗を吸収したか、およびおよそどの程度の汗をさらに吸収することができるかに関して知ることを可能にする。いくつかの実施形態では、吸収または飽和インジケータは、インジケーターストリップであり得る。一実施形態では、本装置は、装置が暗闇で見えるように、リン光体を含むことができる。
【００５０】
いくつかの実施形態では、インサート１０を使用するために、取り外し去可能な剥離ライナ層３９は、接着層４１から剥がすことによって、接着層４１から取り外される。次に、インサート１０は、ヘッドウェアシェル自体の内部表面に対して適用することによってか、または使用者の頭部に適合するような形状にされたサスペンションヘッドバンドに対して直接適用することによって、ヘッドウェア２０に適用される。接着層４１の再配置可能な感圧接着剤は、インサート１０を適所に保持する。インサート１０の間隙３０は、図５〜図１２に図示されるように、インサート１０の曲げを容易にして、ヘッドウェア２０の形状に適合させ、インサート１０の材料の重なりを防止する。このような重なりを防止することにより、インサート１０の滑らかな表面は、快適性を高めるために使用者の頭に当接して置かれる。設置後、インサート１０は、再配置可能な感圧接着剤４１によってヘッドウェア２０にしっかりと固定することができ、インサート１０の露出面は、ヘッドウェア２０の着用者のための接触面を形成する。使用後、インサート１０は、インサート１０とヘッドウェア２０の湾曲した内側表面との間の接着シールを破断することによって、容易に取り外される。
【００５１】
一実施形態では、インサート１０は、弾性であり得る吸収性シリンダであってもよい。シリンダは、上層、エアレイド層、およびＳＡＰ層の３つの層を含むことができる。ＳＡＰ層は、シリンダの中央にあることができ、層はチューブのように丸めることができる。一実施形態では、より大きな最終製品を作製するために、いくつかのシリンダまたはチューブを互いに絡み合わせるかまたは編組することができる。
【００５２】
一実施形態では、インサート１０は、通気および循環のために使用される１つ以上の通気口または切り欠きを含んでいてもよい。通気口または切欠きは、直線スリット、矩形、非直線形状、楕円形等の任意の形状であってよいが、これらに限定されない。さらに、通気孔または切欠きの縁部は各々、上記と同様に、シールされた外周を有し得る。
【００５３】
本明細書に開示された汗を吸収および保持するための装置は、いくつかの実施形態に関して記載されているが、当業者は、本開示の趣旨および範囲から逸脱することなく、形態および詳細を変更できることを認識するであろう。
【図１】
0003223286.tif 000003
【図２】
0003223286.tif 000004
【図３】
0003223286.tif 000005
【図４】
0003223286.tif 000006
【図５】
0003223286.tif 000007
【図６】
0003223286.tif 000008
【図７】
0003223286.tif 000009
【図８】
0003223286.tif 000010
【図９】
0003223286.tif 000011
【図１０】
0003223286.tif 000012
【図１１】
0003223286.tif 000013
【図１２】
0003223286.tif 000014
【図１３】
0003223286.tif 000015
【図１４】
0003223286.tif 000016
【図１５】
0003223286.tif 000017
【図１６】
0003223286.tif 000018
【図１７】
0003223286.tif 000019
【図１８】
0003223286.tif 000020
【図１９】
0003223286.tif 000021
【図２０】
0003223286.tif 000022
【図２１】
0003223286.tif 000023
【図２２】
0003223286.tif 000024
【図２３】
0003223286.tif 000025
【図２４】
0003223286.tif 000026
【図２５】
0003223286.tif 000027
【図２６】
0003223286.tif 000028
【図２７】
0003223286.tif 000029
【図２８】
0003223286.tif 000030
【図２９】
0003223286.tif 000031
【図３０】
0003223286.tif 000032
【図３１】
0003223286.tif 000033
【図３２】
0003223286.tif 000034
【図３３】
0003223286.tif 000035
【図３４】
0003223286.tif 000036
【図３５】
0003223286.tif 000037
【図３６】
0003223286.tif 000038
【図３７】
0003223286.tif 000039
【図３８】
0003223286.tif 000040
【図３９】
0003223286.tif 000041
【図４０】
0003223286.tif 000042
【図４１】
0003223286.tif 000043
【図４２】
0003223286.tif 000044
【手続補正書】
【提出日】平成30年11月16日(2018.11.16)
【手続補正１】
【補正対象書類名】実用新案登録請求の範囲
【補正対象項目名】全文
【補正方法】変更
【補正の内容】
【実用新案登録請求の範囲】
【請求項１】
保護用ヘッドウェアのサスペンションシステムのヘッドバンド部分に取り付けるための使い捨て吸収性インサートであって、
親水性布地で構成される、上部水分吸上層と、
３層で構成される液体吸収性の保持性コアであって、第１の層が、第１の吸収性エアレイド層であり、第２の層が、超吸収性ポリマー層であり、第３の層が、第２の吸収性エアレイド層である、液体吸収性の保持性コアと、
液体不透過層と、
前記液体不透過層のうちの少なくとも一部分に取り付けられ、かつそれを被覆する接着層と、
前記接着層に取り付けられた剥離ライナ層と、
１ｍｍ〜３ｍｍの厚さである、前記インサートの全外周に沿った連続シールと、を備え、
前記インサートが、ほぼ矩形であり、長い上縁部、長い底縁部、および４つの丸い角を有し、
前記インサートが、前記サスペンションシステムの前記ヘッドバンド部分の第１の前頭部接触側に取り付けることが可能である、使い捨て吸収性インサート。
【請求項２】
第１のタブをさらに備え、前記第１のタブが、前記インサートの長い上縁部から突出し、かつ前記サスペンションシステムの前記ヘッドバンド部分の第１の縁部に折り重なること、および前記サスペンションシステムの前記ヘッドバンド部分の第２の側に接着することが可能である、請求項１に記載の使い捨て吸収性インサート。
【請求項３】
前記第１のタブが、前記長い上縁部に沿って均一に中心合わせされた第１の長いタブである、請求項２に記載の使い捨て吸収性インサート。
【請求項４】
前記インサートの前記長い底縁部から突出し、前記長い底縁部に沿って均一に中心合わせされ、前記サスペンションシステムの前記ヘッドバンド部分の第２の縁部に折り重なり、前記サスペンションシステムの前記ヘッドバンド部分の前記第２の側に接着することが可能である、第２の長いタブをさらに備える、請求項３に記載の使い捨て吸収性インサート。
【請求項５】
前記第２の長いタブが、前記第１の長いタブに取り付けられる、請求項４に記載の使い捨て吸収性インサート。
【請求項６】
前記第１および第２の長いタブが、マジックテープタブである、請求項５に記載の使い捨て吸収性インサート。
【請求項７】
前記第１および第２の長いタブが、スナップタブである、請求項５に記載の使い捨て吸収性インサート。
【請求項８】
第２のタブをさらに備え、前記第１および前記第２のタブが、短いタブであり、前記長い上縁部に沿って均一に中心合わせされ、前記第２のタブが、前記インサートの前記長い上縁部から突出し、前記サスペンションシステムの前記ヘッドバンド部分の第１の縁部に折り重なること、および前記サスペンションシステムの前記ヘッドバンド部分の第２の側に接着することが可能である、請求項２に記載の使い捨て吸収性インサート。
【請求項９】
前記インサートの前記長い底縁部から突出し、前記長い底縁部に沿って均一に中心合わせされ、前記サスペンションシステムの前記ヘッドバンド部分の第２の縁部に折り重なり、前記サスペンションシステムの前記ヘッドバンド部分の前記第２の側に接着することが可能である、第３の短いタブおよび第４の短いタブをさらに備える、請求項８に記載の使い捨て吸収性インサート。
【請求項１０】
前記第３の短いタブが、前記第１の短いタブに取り付けられ、前記第４の短いタブが、前記第２の短いタブに取り付けられる、請求項９に記載の使い捨て吸収性インサート。
【請求項１１】
前記第１、第２、第３、および第４の短いタブが、フックおよびルックタブである、請求項１０に記載の使い捨て吸収性インサート。
【請求項１２】
前記第１、第２、第３、および第４の短いタブが、スナップタブである、請求項１０に記載の使い捨て吸収性インサート。
【請求項１３】
第２および第３のタブをさらに備え、前記第１および第２のタブが、短いタブであり、前記第３のタブが、第１の長いタブであり、前記第１の短いタブが、前記長い上縁部の第１の端に位置し、前記第２の短いタブが、前記長い上縁部の第２の端に位置し、前記第１の長いタブが、前記長い上縁部に沿って中心合わせされる、請求項２に記載の使い捨て吸収性インサート。
【請求項１４】
第３の短いタブと、第４の短いタブと、第２の長いタブとをさらに備え、前記第３の短いタブが、前記長い底縁部の第１の端に位置し、前記第４の短いタブが、前記長い底縁部の第２の端に位置し、前記第２の長いタブが、前記長い底縁部に沿って中心合わせされる、請求項１３に記載の使い捨て吸収性インサート。
【請求項１５】
前記第３の短いタブが、前記第１の短いタブに取り付けられ、前記第４の短いタブが、前記第２の短いタブに取り付けられ、前記第２の長いタブが、前記第１の長いタブに取り付けられる、請求項１４に記載の使い捨て吸収性インサート。
【請求項１６】
前記第１、第２、第３および第４の短いタブ、ならびに前記第１および第２の長いタブが、マジックテープタブである、請求項１５に記載の使い捨て吸収性インサート。
【請求項１７】
前記第１、第２、第３、および第４の短いタブと、前記第１および第２の長いタブとが、スナップタブである、請求項１５に記載の使い捨て吸収性インサート。
【請求項１８】
前記第１のタブが、接着タブ、マジックテープタブ、スナップタブ、およびこれらの組み合わせからなる群から選択される、請求項２に記載の使い捨て吸収性インサート。
【請求項１９】
前記液体吸収性の保持性コアと、前記液体不透過層との間に位置する弾性層をさらに備える、請求項１に記載の使い捨て吸収性インサート。
【請求項２０】
不透過性ガッタ層が、前記液体不透過層を置換する、請求項１に記載の使い捨て吸収性インサート。
【請求項２１】
水分吸上層が、前記液体不透過層と置換する、請求項１に記載の使い捨て吸収性インサート。
【請求項２２】
前記上部水分吸上層および前記液体不透過層のうちの少なくとも１つが、難燃性繊維からさらに構成される、請求項１に記載の使い捨て吸収性インサート。
【請求項２３】
前記上部水分吸上層および前記液体不透過層のうちの少なくとも１つが、発泡体からさらに構成される、請求項１に記載の使い捨て吸収性インサート。
【請求項２４】
前記発泡体が、多孔質である、請求項２３に記載の使い捨て吸収性インサート。
【請求項２５】
前記液体吸収性保持コアが、超吸収性保持発泡体材料からさらに構成される、請求項１に記載の使い捨て吸収性インサート。
【請求項２６】
飽和インジケータをさらに備え、前記飽和インジケータの色が、前記使い捨て吸収性インサートによってより多くの水分が吸収されるにつれて変化する、請求項１に記載の使い捨て吸収性インサート。
【請求項２７】
前記接着層が、前記液体不透過層の全体に取り付けられ、その全体を被覆する、請求項１に記載の使い捨て吸収性インサート。
【請求項２８】
前記上部水分吸上層、前記液体吸収性の保持性コア、および前記液体不透過層のうちの少なくとも１つが、リサイクルされた材料からさらに構成される、請求項１に記載の使い捨て吸収性インサート。
【請求項２９】
前記インサートが、生分解性材料からさらに構成される、請求項１に記載の使い捨て吸収性インサート。
【請求項３０】
１つ以上の通気口をさらに備える、請求項１に記載の使い捨て吸収性インサート。
【請求項３１】
各通気口が、シールされた外周を有する、請求項３０に記載の使い捨て吸収性インサート。
【請求項３２】
使用者の運動用頭部被覆物の前頭部に接触する湾曲した内側表面に装着するための使い捨て吸収性インサートであって、
親水性布地で構成される、上部水分吸上層と、
３層で構成される液体吸収性の保持性コアであって、第１の層が、第１の吸収性コア層であり、第２の層が、超吸収性コア層であり、第３の層が、第２の吸収性コア層である、液体吸収性の保持性コアと、
液体不透過層と、
前記液体不透過層に取り付けられた接着層と、
前記接着層に取り付けられた剥離ライナ層と、
１ｍｍ〜３ｍｍの厚さである、前記インサートの全外周に沿った連続シールと、
下方湾曲縁部と、
２つの丸い端縁部と、
第１の外側上縁部分と、第２の外側上縁部分と、内側上縁部分と、で構成される上縁部であって、前記第１および第２の外側上縁部分が、前記内側上縁部分の両側に位置付けられる、上縁部と、
前記第１の外側上縁部分と、前記内側上縁部分との間に位置する第１の間隙であって、前記インサートの上端部から前記インサートの中央部に向かって４０〜５０度の角度で延在する、第１の間隙と、
前記第２の外側上縁部分と、前記内側上縁部分との間に位置する第２の間隙であって、前記インサートの上端部から前記インサートの中央部分に向かって４０〜５０度の角度で延在する、第２の間隙と、を備える、使い捨て吸収性インサート。
【請求項３３】
前記上部水分吸上層および前記液体不透過層のうちの少なくとも１つが、耐燃性繊維からさらに構成される、請求項３２に記載の使い捨て吸収性インサート。
【請求項３４】
前記上部水分吸上層、前記液体吸収性の保持性コア、および前記液体不透過層のうちの少なくとも１つが、発泡体からさらに構成される、請求項３２に記載の使い捨て吸収性インサート。
【請求項３５】
前記接着層が、前記液体不透過層の表面全体を被覆する、請求項３２に記載の使い捨て吸収性インサート。
【請求項３６】
飽和インジケータをさらに備え、前記飽和インジケータの色が、前記使い捨て吸収性インサートによってより多くの水分が吸収されるにつれて変化する、請求項３２に記載の使い捨て吸収性インサート。
【請求項３７】
前記上部水分吸上層、前記液体吸収性の保持性コア、および前記液体不透過層のうちの少なくとも１つが、リサイクルされた材料からさらに構成される、請求項３２に記載の使い捨て吸収性インサート。
【請求項３８】
前記インサートが、生分解性材料からさらに構成される、請求項３２に記載の使い捨て吸収性インサート。
【請求項３９】
１つ以上の通気口をさらに備える、請求項３２に記載の使い捨て吸収性インサート。
【請求項４０】
各通気口が、シールされた外周を有する、請求項３９に記載の使い捨て吸収性インサート。
【請求項４１】
前記第１の短いタブおよび前記第２の短いタブが、各々、
底部接着表面および上部表面を有し、
前記サスペンションシステムの前記ヘッドバンド部分の前記第１の縁部に折り重なるように構造化および構成され、
それらのそれぞれの外側表面に接着するように構造化および構成される、請求項１３に記載の使い捨て吸収性インサート。
【手続補正書】
【提出日】令和1年8月1日(2019.8.1)
【手続補正１】
【補正対象書類名】実用新案登録請求の範囲
【補正対象項目名】全文
【補正方法】変更
【補正の内容】
【実用新案登録請求の範囲】
【請求項１】
保護用ヘッドウェアのサスペンションシステムのヘッドバンド部分に取り付けるための使い捨て吸収性インサートであって、
親水性布地で構成される、上部水分吸上層と、
３層で構成される液体吸収性の保持性コアであって、第１の層が、第１の吸収性エアレイド層であり、第２の層が、超吸収性ポリマー層であり、第３の層が、第２の吸収性エアレイド層である、液体吸収性の保持性コアと、
液体不透過層と、
前記液体不透過層のうちの少なくとも一部分に取り付けられ、かつそれを被覆する接着層と、
前記接着層に取り付けられた剥離ライナ層と、
１ｍｍ〜３ｍｍの厚さである、前記吸収性インサートの全外周に沿った連続シールと、を備え、
前記吸収性インサートが、ほぼ矩形であり、長い上縁部、長い底縁部、および４つの丸い角を有し、
前記吸収性インサートが、前記サスペンションシステムの前記ヘッドバンド部分の第１の前頭部接触側に取り付けることが可能である、使い捨て吸収性インサート。
【請求項２】
第１のタブをさらに備え、前記第１のタブが、前記吸収性インサートの長い上縁部から突出し、かつ前記サスペンションシステムの前記ヘッドバンド部分の第１の縁部に折り重なること、および前記サスペンションシステムの前記ヘッドバンド部分の第２の側に接着することが可能である、請求項１に記載の使い捨て吸収性インサート。
【請求項３】
前記第１のタブが、前記長い上縁部に沿って均一に中心合わせされた第１の長いタブである、請求項２に記載の使い捨て吸収性インサート。
【請求項４】
前記吸収性インサートの前記長い底縁部から突出し、前記長い底縁部に沿って均一に中心合わせされ、前記サスペンションシステムの前記ヘッドバンド部分の第２の縁部に折り重なり、前記サスペンションシステムの前記ヘッドバンド部分の前記第２の側に接着することが可能である、第２の長いタブをさらに備える、請求項３に記載の使い捨て吸収性インサート。
【請求項５】
前記第２の長いタブが、前記第１の長いタブに取り付けられる、請求項４に記載の使い捨て吸収性インサート。
【請求項６】
前記第１および第２の長いタブが、面ファスナータブである、請求項５に記載の使い捨て吸収性インサート。
【請求項７】
前記第１および第２の長いタブが、スナップタブである、請求項５に記載の使い捨て吸収性インサート。
【請求項８】
第２のタブをさらに備え、前記第１のタブが、第１の短いタブであり、前記第２のタブが、第２の短いタブであり、前記長い上縁部に沿って均一に中心合わせされ、前記第２の短いタブが、前記吸収性インサートの前記長い上縁部から突出し、前記サスペンションシステムの前記ヘッドバンド部分の第１の縁部に折り重なること、および前記サスペンションシステムの前記ヘッドバンド部分の第２の側に接着することが可能である、請求項２に記載の使い捨て吸収性インサート。
【請求項９】
前記吸収性インサートの前記長い底縁部から突出し、前記長い底縁部に沿って均一に中心合わせされ、前記サスペンションシステムの前記ヘッドバンド部分の第２の縁部に折り重なり、前記サスペンションシステムの前記ヘッドバンド部分の前記第２の側に接着することが可能である、第３の短いタブおよび第４の短いタブをさらに備える、請求項８に記載の使い捨て吸収性インサート。
【請求項１０】
前記第３の短いタブが、前記第１の短いタブに取り付けられ、前記第４の短いタブが、前記第２の短いタブに取り付けられる、請求項９に記載の使い捨て吸収性インサート。
【請求項１１】
前記第１、第２、第３、および第４の短いタブが、フックおよびルックタブである、請求項１０に記載の使い捨て吸収性インサート。
【請求項１２】
前記第１、第２、第３、および第４の短いタブが、スナップタブである、請求項１０に記載の使い捨て吸収性インサート。
【請求項１３】
第２および第３のタブをさらに備え、前記第１のタブが、第１の短いタブであり、前記第２のタブが、第２の短いタブであり、前記第３のタブが、第１の長いタブであり、前記第１の短いタブが、前記長い上縁部の第１の端に位置し、前記第２の短いタブが、前記長い上縁部の第２の端に位置し、前記第１の長いタブが、前記長い上縁部に沿って中心合わせされる、請求項２に記載の使い捨て吸収性インサート。
【請求項１４】
第３の短いタブと、第４の短いタブと、第２の長いタブとをさらに備え、前記第３の短いタブが、前記長い底縁部の第１の端に位置し、前記第４の短いタブが、前記長い底縁部の第２の端に位置し、前記第２の長いタブが、前記長い底縁部に沿って中心合わせされる、請求項１３に記載の使い捨て吸収性インサート。
【請求項１５】
前記第３の短いタブが、前記第１の短いタブに取り付けられ、前記第４の短いタブが、前記第２の短いタブに取り付けられ、前記第２の長いタブが、前記第１の長いタブに取り付けられる、請求項１４に記載の使い捨て吸収性インサート。
【請求項１６】
前記第１、第２、第３および第４の短いタブ、ならびに前記第１および第２の長いタブが、面ファスナータブである、請求項１５に記載の使い捨て吸収性インサート。
【請求項１７】
前記第１、第２、第３、および第４の短いタブと、前記第１および第２の長いタブとが、スナップタブである、請求項１５に記載の使い捨て吸収性インサート。
【請求項１８】
前記第１のタブが、接着タブ、面ファスナータブ、スナップタブ、およびこれらの組み合わせからなる群から選択される、請求項２に記載の使い捨て吸収性インサート。
【請求項１９】
前記液体吸収性の保持性コアと、前記液体不透過層との間に位置する弾性層をさらに備える、請求項１に記載の使い捨て吸収性インサート。
【請求項２０】
不透過性ガッタ層が、前記液体不透過層を置換する、請求項１に記載の使い捨て吸収性インサート。
【請求項２１】
水分吸上層が、前記液体不透過層と置換する、請求項１に記載の使い捨て吸収性インサート。
【請求項２２】
前記上部水分吸上層および前記液体不透過層のうちの少なくとも１つが、難燃性繊維からさらに構成される、請求項１に記載の使い捨て吸収性インサート。
【請求項２３】
前記上部水分吸上層および前記液体不透過層のうちの少なくとも１つが、発泡体からさらに構成される、請求項１に記載の使い捨て吸収性インサート。
【請求項２４】
前記発泡体が、多孔質である、請求項２３に記載の使い捨て吸収性インサート。
【請求項２５】
前記液体吸収性保持コアが、超吸収性保持発泡体材料からさらに構成される、請求項１に記載の使い捨て吸収性インサート。
【請求項２６】
飽和インジケータをさらに備え、前記飽和インジケータの色が、前記使い捨て吸収性インサートによってより多くの水分が吸収されるにつれて変化する、請求項１に記載の使い捨て吸収性インサート。
【請求項２７】
前記接着層が、前記液体不透過層の全体に取り付けられ、その全体を被覆する、請求項１に記載の使い捨て吸収性インサート。
【請求項２８】
前記上部水分吸上層、前記液体吸収性の保持性コア、および前記液体不透過層のうちの少なくとも１つが、リサイクルされた材料からさらに構成される、請求項１に記載の使い捨て吸収性インサート。
【請求項２９】
前記吸収性インサートが、生分解性材料からさらに構成される、請求項１に記載の使い捨て吸収性インサート。
【請求項３０】
１つ以上の通気口をさらに備える、請求項１に記載の使い捨て吸収性インサート。
【請求項３１】
各通気口が、シールされた外周を有する、請求項３０に記載の使い捨て吸収性インサート。
【請求項３２】
使用者の運動用頭部被覆物の前頭部に接触する湾曲した内側表面に装着するための使い捨て吸収性インサートであって、
親水性布地で構成される、上部水分吸上層と、
３層で構成される液体吸収性の保持性コアであって、第１の層が、第１の吸収性コア層であり、第２の層が、超吸収性コア層であり、第３の層が、第２の吸収性コア層である、液体吸収性の保持性コアと、
液体不透過層と、
前記液体不透過層に取り付けられた接着層と、
前記接着層に取り付けられた剥離ライナ層と、
１ｍｍ〜３ｍｍの厚さである、前記吸収性インサートの全外周に沿った連続シールと、
下方湾曲縁部と、
２つの丸い端縁部と、
第１の外側上縁部分と、第２の外側上縁部分と、内側上縁部分と、で構成される上縁部であって、前記第１および第２の外側上縁部分が、前記内側上縁部分の両側に位置付けられる、上縁部と、
前記第１の外側上縁部分と、前記内側上縁部分との間に位置する第１の間隙であって、前記吸収性インサートの上端部から前記吸収性インサートの中央部に向かって４０〜５０度の角度で延在する、第１の間隙と、
前記第２の外側上縁部分と、前記内側上縁部分との間に位置する第２の間隙であって、前記吸収性インサートの上端部から前記吸収性インサートの中央部分に向かって４０〜５０度の角度で延在する、第２の間隙と、を備える、使い捨て吸収性インサート。
【請求項３３】
前記上部水分吸上層および前記液体不透過層のうちの少なくとも１つが、耐燃性繊維からさらに構成される、請求項３２に記載の使い捨て吸収性インサート。
【請求項３４】
前記上部水分吸上層、前記液体吸収性の保持性コア、および前記液体不透過層のうちの少なくとも１つが、発泡体からさらに構成される、請求項３２に記載の使い捨て吸収性インサート。
【請求項３５】
前記接着層が、前記液体不透過層の表面全体を被覆する、請求項３２に記載の使い捨て吸収性インサート。
【請求項３６】
飽和インジケータをさらに備え、前記飽和インジケータの色が、前記使い捨て吸収性インサートによってより多くの水分が吸収されるにつれて変化する、請求項３２に記載の使い捨て吸収性インサート。
【請求項３７】
前記上部水分吸上層、前記液体吸収性の保持性コア、および前記液体不透過層のうちの少なくとも１つが、リサイクルされた材料からさらに構成される、請求項３２に記載の使い捨て吸収性インサート。
【請求項３８】
前記吸収性インサートが、生分解性材料からさらに構成される、請求項３２に記載の使い捨て吸収性インサート。
【請求項３９】
１つ以上の通気口をさらに備える、請求項３２に記載の使い捨て吸収性インサート。
【請求項４０】
各通気口が、シールされた外周を有する、請求項３９に記載の使い捨て吸収性インサート。
【請求項４１】
前記第１の短いタブおよび前記第２の短いタブが、各々、
底部接着表面および上部表面を有し、
前記サスペンションシステムの前記ヘッドバンド部分の前記第１の縁部に折り重なるように構造化および構成され、
それらのそれぞれの外側表面に接着するように構造化および構成される、請求項１３に記載の使い捨て吸収性インサート。